(57)【要約】【課題】データの間欠記録において適式に繋ぎ記録を行なう。【解決手段】入力されたデータを符号化する符号化部１０と、符号化部１０で符号化したデータを１フレーム単位で所定周期ごとに間欠的にメモリ２９に記憶し、メモリ２９に記憶されているデータを所定フレーム数ごとに読み出す記憶読出部１１と、記憶読出部１１により読み出したデータを記録媒体１３に記録する記録部１２と、メモリ２９に記憶されているデータを所定フレーム数ごと読み出して上記記録媒体に記録する際に、末端の１フレームは複数回繰り返して読み出し、上記記録媒体１３に記録するように記録部１２を制御する制御部３０とを備える。【選択図】  図１
2004343249.tif 000002
【特許請求の範囲】
【請求項１】
記録媒体にデータを間欠的に記録する記録装置であって、
入力されたデータを符号化する符号化手段と、
上記符号化手段で符号化したデータを１フレーム単位で所定周期ごとに間欠的に記憶部に記憶する記憶手段と、
上記記憶部に記憶されているデータを所定フレーム数ごとに読み出し、上記記録媒体に記録する記録手段と、
上記記憶部に記憶されているデータを所定フレーム数ごとに読み出して上記記録媒体に記録する際に、末端の１フレームは複数回繰り返して読み出して上記記録媒体に記録するように上記記録手段を制御する制御手段とを備えることを特徴とする記録装置。
【請求項２】
記録媒体にデータを間欠的に記録する記録方法であって、
入力されたデータを符号化する符号化工程と、
上記符号化工程で符号化したデータを１フレーム単位で所定周期ごとに間欠的に記憶部に記憶する記憶工程と、
上記記憶部に記憶されているデータを所定フレーム数ごとに読み出して上記記録媒体に記録する際に、末端の１フレームは複数回繰り返して読み出し、上記記録媒体に記録する記録工程を有することを特徴とする記録方法。
【発明の詳細な説明】
【０００１】
【発明の属する技術分野】
本発明は、連続的に入力されるデータをフレーム単位で間欠的に抽出し、抽出したデータを記録する記録装置及び方法に関する。
【０００２】
【従来の技術】
近年、例えば自動預払機（ＡＴＭ、ａｕｔｏｍａｔｅｄ−ｔｅｌｌｅｒ  ｍａｃｈｉｎｅ）を設置した場所等では、セキュリティ確保のため、監視用ビデオ記録装置が使用されている。このような監視用ビデオ記録装置は、タイムラプスＶＴＲとも呼ばれ、通常、監視用ビデオカメラより出力されるビデオ信号を間欠的に記録媒体に記録するようになっている（特許文献１参照）。このような監視用ビデオ記録装置では、間欠したビデオ信号を記録するために、任意の周期で１フィールドまたは１フレーム単位で記録媒体に記録する方式（以下、第１の方式という。）や、所定数のフレームをメモリに蓄積し、それを所定の周期で連続的に読み出しながら記録媒体に記録する方式（以下、第２の方式という。）が知られている。第２の方式は、第１の方式に比べ、記録媒体を走行させる回数が少なく済むため、ヘリカルスキャン方式の監視用ビデオ記録装置に対して記録媒体やヘッドへの負荷が少ないことや、デジタル化した信号処理と親和性がよいことなどを理由に、近年広く使われるようになっている。
【０００３】
【特許文献１】
特願平１１−５１９９５９号公報
【０００４】
【発明が解決しようとする課題】
しかしながら、第１の方式又は第２の方式を採用した監視用ビデオ記録装置は、間欠的にビデオ信号を記録するときに、１フィールドもしくは１フレームの精度で記録媒体を駆動しなければならないため、記録媒体を駆動するメカデッキ等の駆動部やそれをコントロールする制御部に対して高い精度の動作が要求され、放送用や業務用等のものとして実現できても、民生用のものとしては高価なものとなってしまい、実用的ではなかった。
【０００５】
また、第１の方式又は第２の方式を採用した監視用ビデオ記録装置では、万が一駆動部の動作精度が悪かった場合、前回記録媒体に記録したものを次回の記録時に上書きで消してしまうことがあり、一定の周期で記録を残しておきたいタイムラプスビデオとしては、１フレーム（１フィールド）の欠落ではあるが、致命的な欠陥となりえた。
【０００６】
そこで、本発明は、上述したような実情に鑑みて提案されたものであり、第２の方式を採用し、駆動部等に高い精度の動作を要求せずに、前回記録したデータを上書き消去しないで入力したデータを間欠的に記録媒体に記録する記録装置及び方法を提供することを目的とする。
【０００７】
【課題を解決するための手段】
本発明に係る記録装置は、上述の課題を解決するために、記録媒体にデータを間欠的に記録する記録装置であって、入力されたデータを符号化する符号化手段と、上記符号化手段で符号化したデータを１フレーム単位で所定周期ごとに間欠的に記憶部に記憶する記憶手段と、上記記憶部に記憶されているデータを所定フレーム数ごとに読み出し、上記記録媒体に記録する記録手段と、上記記憶部に記憶されているデータを所定フレーム数ごとに読み出して上記記録媒体に記録する際に、末端の１フレームは複数回繰り返して読み出し、上記記録媒体に記録するように上記記録手段を制御する制御手段とを備える。
【０００８】
本発明に係る記録方法は、上述の課題を解決するために、記録媒体にデータを間欠的に記録する記録方法であって、入力されたデータを符号化する符号化工程と、上記符号化工程で符号化したデータを１フレーム単位で所定周期ごとに間欠的に記憶部に記憶する記憶工程と、上記記憶部に記憶されているデータを所定フレーム数ごとに読み出して上記記録媒体に記録する際に、末端の１フレームは複数回繰り返して読み出し、上記記録媒体に記録する記録工程を有する。
【０００９】
【発明の実施の形態】
以下、本発明の実施の形態について図面を参照しながら詳細に説明する。
【００１０】
本発明は、図１に示すような、映像信号のインターバル（間欠）記録を行なう記録装置１に適用される。記録装置１は、入力した映像信号に所定の処理を行なう処理部１０と、処理部１０で所定の処理を行なった映像信号のデータを所定の周期で間欠的にメモリ２９に記憶するメモリ部１１と、メモリ２９に取り込んだデータを読み出し、磁気テープ等の記録媒体（以下、「磁気テープ」という。）に記録する記録部１２とを備える。
【００１１】
処理部１０は、被写体を撮像し、所定の処理を行ない処理後データＤ１（以下、単に「データＤ１」という。）を生成する第１の処理部２０と、所定の映像信号が入力され、所定の処理を行ない処理後データＤ２（以下、単に「データＤ２」という。）を生成する第２の処理部２１と、第１の処理部２０で生成されたデータＤ１と第２の処理部２１で生成されたデータＤ２とを選択的に切り換え、メモリ部１１に出力する切換部２２とを備える。第１の処理部２０は、被写体を撮像するＣＣＤ（ｃｈａｒｇｅ−ｃｏｕｐｌｅｄ  ｄｅｖｉｃｅ）部２３と、ＣＣＤ部２３で撮像された被写体の映像信号をデジタル化（符号化）処理するＡＤＣ（ａｎａｌｏｇ  ｄｉｇｉｔａｌ  ｃｏｎｖｅｒｔｅｒ）部２４と、ＡＤＣ部２４で符号化された信号にカメラ信号処理（欠陥補正及びガンマ補正等の補正処理）を行ない、データＤ１を生成するカメラ信号処理部２５とを備える。
【００１２】
また、第２の処理部２１は、アナログのＮＴＳＣ（ｎａｔｉｏｎａｌ  ｔｅｌｅｖｉｓｉｏｎ    ｓｙｓｔｅｍ    ｃｏｍｍｉｔｔｅｅ）方式又はＰＡＬ（ｐｈａｓｅ  ａｌｔｅｒｎａｔｉｏｎ  ｂｙ  ｌｉｎｅ）方式等による信号が入力される入力部２６と、入力部２６から入力された信号を符号化処理するＡＤＣ部２７と、ＡＤＣ部２７で符号化された信号に所定のデコード処理を行ない、データＤ２を生成するライン入力信号処理部２８とを備える。
【００１３】
切換部２２は、第１の処理部２０からデータＤ１が入力される端子ａと、第２の処理部２１からデータＤ２が入力される端子ｂとを有し、外部から入力される操作信号に応じて端子ａと端子ｂとを選択的に切り換える。
【００１４】
メモリ部１１は、所定容量を有するメモリ２９と、切換部２２から連続的に入力されるデータＤ１又はデータＤ２から所定周期ごとに間欠的に１フレーム分のデータを抽出し、当該抽出したデータをメモリ２９に書き込み、書き込んだデータをメモリ２９から読み出し記録部１２に出力するメモリ制御回路部３０とを有する。
【００１５】
記録部１２は、メモリ部１１から供給されたデータにエラー訂正符号等の処理を行なうデジタル記録信号処理部３１と、デジタル記録信号処理部３１から供給されたデータを磁気テープ１３に記録するヘッド部３２と、磁気テープ１３を回転駆動するメカデッキ部３３と、デジタル記録信号処理部３１を介してヘッド部３２の動作と、メカデッキ部３３の動作を制御するデジタル記録制御回路部３４とを備える。
【００１６】
ここで、メモリ制御回路部３０の動作について説明する。メモリ制御回路部３０は、切換部２２から連続的に入力されるデータＤ１又はデータＤ２（以下、単に「データ」という。）から所定周期ごとに間欠的に１フレーム分のデータを抽出し、メモリ２９に順次記憶する。そして、メモリ制御回路部３０は、メモリ２９に所定のフレーム数分のデータが書き込まれたときに、当該メモリ２９からデータを連続的に読み出し、記録部１２に出力する。
【００１７】
つぎに、記録部１２の動作について説明する。メモリ制御回路部３０は、メモリ２９からデータを読み出す前に、記録部１２を起動状態にすべくデジタル記録制御回路部３４に所定の信号を供給する。デジタル記録制御回路部３４は、メモリ制御回路部３０から供給された信号に応じて、メカデッキ部３３の動作を制御する信号（以下、「制御信号Ｓ１」という。）を供給し、また、デジタル記録信号処理部３１の動作を制御する信号（以下、「制御信号Ｓ２」という。）を供給する。メカデッキ部３３は、制御信号Ｓ１が供給されたときに、磁気テープ１３を回転駆動するドラム等の起動を開始する。デジタル記録信号処理部３１は、デジタル記録制御回路部３４から供給される制御信号Ｓ２に基づき、メモリ制御回路部３０から供給されてくるデータに所定の処理を行ない、処理後の信号をヘッド部３２に供給する。
【００１８】
ここで、磁気テープ１３にデータを記録するタイミングについて説明する。メカデッキ部３３は、上述したように、デジタル記録制御回路部３４から供給される制御信号Ｓ１に応じて、磁気テープ１３の駆動を開始する。メカデッキ部３３は、磁気テープ１３の送り速度が加速され、安定状態に達するまでデータの記録を行なわない。もしも、磁気テープ１３の送り速度が所定の速度まで加速され、安定状態に達する前にデータの記録を開始してしまうと、磁気テープ１３上のトラックパターンが狂ってしまう。このような磁気テープ１３を再生しようとすると、正確に記録パターンをトレースすることができず、データの再生を困難にしてしまう。
【００１９】
また、メカデッキ部３３は、磁気テープ１３の送り速度を安定状態に達するまで当該磁気テープ１３を記録方向に送り続けるので、前回記録したデータに新たなデータを適式に繋ぎ記録するために、前回の記録作業が終了し、回転ドラム等の駆動を停止する前に、磁気テープ１３の記録終了位置を基準にして所定量Ｌだけ巻き戻し処理を行なう。なお、この所定量Ｌは、メカデッキ部３３の駆動制御機能に依存するものであり、メカデッキ部３３により磁気テープ１３の送り速度が所定の速度まで加速され、安定状態に達するまでに要する時間に基づき決定される。
【００２０】
また、本発明に係るメモリ制御回路部３０は、メカデッキ部３３が安定状態に達するまでの間、メモリ２９から所定のデータ、例えば、メモリ２９から一番最初に読み出され、磁気テープ１３に一番最初に記録される１フレーム分のデータ（以下、「先端データ」という。）を繰り返し読み出す。そして、メカデッキ部３３が記録できる状態になった時に、メモリ制御回路部３０はメモリ２９から先端データ以降の所定のフレーム数分のデータを読み出し、記録部１２に出力する。
【００２１】
ここで、メカデッキ部３３が安定状態に達するまでの間、メモリ２９から先端データを繰り返し読み出す際のメモリ制御回路部３０の動作について図２に示すフローチャートを用いて説明する。
【００２２】
ステップＳ１において、メモリ制御回路部３０は、処理部１０から供給されてくるデータをメモリ２９に書き込まず、所定周期に相当する時間が経過するまで待機する。
【００２３】
ステップＳ２において、メモリ制御回路部３０は、所定周期に相当する時間が経過した後に処理部１０から供給されてくる１フレーム分のデータをメモリ２９に書き込む。
【００２４】
ステップＳ３において、メモリ制御回路部３０は、メモリ２９に所定量のデータ（フレーム数）が書き込まれたかどうかを判断する。メモリ２９に所定量のデータが書き込まれている場合には、ステップＳ４に進み、メモリ２９に所定量のデータが書き込まれていない場合には、ステップＳ１に戻り、メモリ２９に所定量のデータが書き込まれるまでステップＳ１からステップＳ３までの工程を繰り返し行なう。例えば、メモリ制御回路部３０は、図３に示すように、メモリ２９に６フレーム分のデータが書き込まれたときに、メモリ２９に所定量のデータが書き込まれたと判断する。また、メモリ２９は、６フレーム分以上のデータを書き込める容量を有するものとし、順次所定周期毎の１フレーム分のデータの書き込み作業を続けるものとする。
【００２５】
ステップＳ４において、メモリ制御回路部３０は、メモリ２９に所定量のデータが書き込まれた旨の情報をデジタル記録制御回路部３４に供給する。デジタル記録制御回路部３４は、上述したように、メモリ制御回路部３０から供給された情報に応じて、メカデッキ部３３に制御信号Ｓ１を供給し、デジタル記録信号処理部３１に制御信号Ｓ２を供給する。メカデッキ部３３は、制御信号Ｓ１が供給されたときに、磁気テープ１３を回転駆動するドラム等の起動を開始する。
【００２６】
ステップＳ５において、メモリ制御回路部３０は、メモリ２９から１フレーム分のデータを読み出す。デジタル記録信号処理部３１は、デジタル記録制御回路部３４から供給される制御信号Ｓ２に基づき、メモリ制御回路部３０から供給されてくるデータに所定の処理を行ない、処理後の信号をヘッド部３２に供給する。なお、デジタル記録制御回路部３４は、メカデッキ部３３による磁気テープ１３の回転速度等の動作が安定した状態になるまでデータの記録を開始しないようにメカデッキ部３３とヘッド部３２を制御する。
【００２７】
ステップＳ６において、デジタル記録制御回路部３４は、メカデッキ部３３が記録開始点（安定状態）に達しているかどうかを判断する。メカデッキ部３３が安定状態に達している場合には、ステップＳ７に進み、メカデッキ部３３が安定状態に達していない場合には、ステップＳ５に戻り、メモリ制御回路部３０は、メモリ２９から先端の１フレーム分のデータを読み出す作業を繰り返す。したがって、メモリ制御回路部３０は、図３に示すように、メカデッキ部３３が安定状態に達するまで、メモリ２９から同一フレームのデータを繰り返し読み出し続ける。
【００２８】
ステップＳ７において、メモリ制御回路部３０は、メモリ２９から順次データを読み出す。デジタル記録信号処理部３１は、上述したようにメモリ制御回路部３０から供給されてくるデータに所定の処理を行ない、処理後のデータをヘッド部３２に供給する。ヘッド部３２は、デジタル記録信号処理部３１から供給されるデータを磁気テープ１３に記録する。
【００２９】
ステップＳ８において、メモリ制御回路部３０は、メモリ２９から所定フレーム数分のデータを読み出し、所定フレームの末端に相当する１フレーム分のデータを読み出したことを確認した場合、メモリ２９からのデータ読み出し作業を終了し、ステップＳ９に進む。
【００３０】
ステップＳ９において、記録部１２は、メモリ制御回路部３０からデータの供給が停止したことを確認し、メカデッキ部３３による記録動作を停止する。そして、記録部１２は、磁気テープ１３を所定量Ｌだけ巻き戻し（ステップＳ１０）、メカデッキ部３３の動作を停止する（ステップＳ１１）。  また、記録装置１は、続けてデータの間欠記録を行なうかどうかを判断し（ステップＳ１２）、続けてデータの間欠記録を行なう場合には、ステップＳ１に戻る。
【００３１】
上述したように記録装置１は、処理部１０から連続的に入力されるデータから所定周期ごとに間欠的に１フレーム分に相当するデータを抽出し、抽出したデータをメモリ２９に書き込み、メモリ２９に所定のフレーム数に相当するデータが書き込まれた際に、磁気テープ１３の送り速度が安定状態に達するまでメモリ２９から先端データを繰り返し読み出し続け、磁気テープ１３の送り速度が安定状態に達したときに、メモリ２９から先端データ以降のデータを読み出し、先端データから末端データまで磁気テープ１３に記録するので、磁気テープ１３の送り速度が不安定な状態でデータの記録を行なわず、かつ、先端データを欠くことなく新たなデータを磁気テープ１３に間欠的に記録することができる。
【００３２】
また、メカデッキ部３３は、以前に記録したデータの末端に新たなデータの先端を繋いで記録するために磁気テープ１３の送り量を制御している。ここで、メカデッキ部３３による磁気テープ１３の送り量の制御を考慮したメモリ制御回路部３０の動作について図４に示すフローチャートを用いて説明する。
【００３３】
ステップＳ２０において、メモリ制御回路部３０は、処理部１０から供給されてくるデータをメモリ２９に書き込まず、所定周期に相当する時間が経過するまで待機する。
【００３４】
ステップＳ２１において、メモリ制御回路部３０は、所定周期に相当する時間が経過した後に処理部１０から供給されてくる１フレーム分のデータをメモリ２９に書き込む。
【００３５】
ステップＳ２２において、メモリ制御回路部３０は、メモリ２９に所定量のデータ（フレーム数）が書き込まれたかどうかを判断する。メモリ２９に所定量のデータが書き込まれている場合には、ステップＳ２３に進み、メモリ２９に所定量のデータが書き込まれていない場合には、ステップＳ２０に戻り、メモリ２９に所定量のデータが書き込まれるまでステップＳ２０からステップＳ２２までの工程を繰り返す。例えば、メモリ制御回路部３０は、図５に示すように、メモリ２９に６フレーム分のデータが書き込まれたときに、メモリ２９に所定量のデータが書き込まれたと判断する。また、メモリ２９は、６フレーム分以上のデータを書き込める容量を有するものとし、順次所定周期毎の１フレーム分のデータの書き込み作業を続けるものとする。
【００３６】
ステップＳ２３において、メモリ制御回路部３０は、メモリ２９に所定量のデータが書き込まれた旨の情報をデジタル記録制御回路部３４に供給する。デジタル記録制御回路部３４は、メモリ制御回路部３０から供給された情報に応じて、メカデッキ部３３に制御信号Ｓ１を供給し、デジタル記録信号処理部３１に制御信号Ｓ２を供給する。メカデッキ部３３は、制御信号Ｓ１が供給されたときに、磁気テープ１３を回転駆動するドラム等の起動を開始する。
【００３７】
ステップＳ２４において、メモリ制御回路部３０は、メモリ２９から１フレーム単位でデータを読み出す。メモリ制御回路部３０は、メモリ２９から１フレーム分のデータを読み出す度に繰り上げられるカウンタＮの値を一つ繰り上げる。
【００３８】
ステップＳ２５において、メモリ制御回路部３０は、ステップＳ２２で判断した所定の量のデータの末端に相当する１フレーム分のデータ（以下、「末端データ」という。）を読み出したかどうかを判断する。メモリ制御回路部３０は、ステップＳ２４により繰り上げられるカウンタＮの値を参照し、当該カウンタＮの値が所定値（図５に示す例では所定値は「６」となる。）に達しているかどうかを判断する。末端データを読み出していない場合、すなわちカウンタＮの値が所定値に達していない場合には、ステップＳ２４に戻り、末端データを読み出している場合、すなわちカウンタＮの値が所定値に達している場合には、ステップＳ２６に進む。
【００３９】
ステップＳ２６において、メモリ制御回路部３０は、メモリ２９から末端データを読み出す度に繰り上げられるカウンタＭの値を一つ繰り上げる。なお、このときのカウンタＭの値は、「１」である。
【００４０】
ステップＳ２７において、メモリ制御回路部３０は、メモリ２９から再度末端データを読み出す。メモリ制御回路部３０は、メモリ２９から再度末端データを読み出したときに、カウンタＭの値を一つ繰り上げる。
【００４１】
ステップＳ２８において、メモリ制御回路部３０は、メモリ２９から所定分の末端データが読み出されたかどうかを判断する。メモリ制御回路部３０は、ステップＳ２７により繰り上げられるカウンタＭの値を参照し、当該カウンタＭの値が所定値（図５に示す例では所定値は「６」となる。）に達しているかどうかを判断する。末端データがメモリ２９から所定分読み出されていない場合、すなわちカウンタＭの値が所定値に達していない場合には、ステップＳ２７に戻り、末端データがメモリ２９から所定分読み出されている場合、すなわちカウンタＭの値が所定値に達している場合には、メモリ２９からの末端データの読み出し作業を終了し、ステップＳ２９に進む。
【００４２】
ステップＳ２９において、記録部１２は、メモリ制御回路部３０からデータの供給が停止したことを確認し、メカデッキ部３３による記録動作を停止する。そして、記録部１２は、磁気テープ１３を所定量Ｌだけ巻き戻し（ステップＳ３０）、メカデッキ部３３の動作を停止する（ステップＳ３１）。また、記録装置１は、続けてデータの間欠記録を行なうかどうかを判断し（ステップＳ３１）、続けてデータの間欠記録を行なう場合には、ステップＳ２０に戻る。
【００４３】
上述したように本願発明に係る記録装置１は、処理部１０から連続的に入力されるデータから所定周期ごとに間欠的に１フレーム分に相当するデータを抽出し、抽出したデータをメモリ２９に間欠的に書き込み、メモリ２９に所定のフレーム数に相当するデータが書き込まれ、磁気テープ１３の送り速度が安定状態に達したときに、メモリ２９からデータを読み出し（末端データは、所定回数繰り返して読み出す）、読み出したデータを磁気テープ１３に記録するので、末端データが複数回重複して記録することができ、少なくとも一つの末端データ経過後に新たなデータを記録することで、以前に記録した必要なデータを消去せずに、新たなデータを繋ぎ記録することができる。
【００４４】
また、記録装置１は、上述したステップＳ１からステップＳ１２までの工程及びステップＳ２０からステップＳ３１までの工程を行なうことができる構成であっても良い。
【００４５】
この場合には、記録装置１は、処理部１０から連続的に入力されるデータから所定周期ごとに間欠的に１フレーム分のデータを抽出し、抽出したデータをメモリ２９に書き込み、メモリ２９に所定のフレーム数分のデータが書き込まれたときに、磁気テープ１３の送り速度が安定状態に達するまで先端データを繰り返し読み出し続け、磁気テープ１３の送り速度が安定状態に達したときに、メモリ２９から先端データ以降のデータを読み出して記録テープ１３に記録する際に、末端の１フレームのデータを所定回数繰り返して読み出して磁気テープ１３に記録するので、磁気テープ１３の送り速度が不安定な状態でデータの記録を行なわず、かつ、先端データを欠くことなく新たなデータを磁気テープ１３に間欠的に記録することができ、また、末端データを複数回重複して記録するので、少なくとも一つの末端データ経過後に新たなデータを記録することで、以前に記録した必要なデータを消去せずに、新たなデータを繋ぎ記録することができる。
【００４６】
また、記録装置１は、例えば、メカデッキ部３３の制御の精度が±ｎフレームで繋ぎ記録が可能なものであれば、最後の１フレームが繰り返し記録されているトラックをｎ＋１フレーム分だけ残して上書き記録するように制御すればよい。この場合、繋ぎ記録の開始点が前後にずれたとしても、記録すべきデータが少なくとも１フレーム分は残されることになり、以前のフレームを上書き記録により消去することがなく、かつ、前回記録したデータと新たに記録したデータとの繋ぎ部分を無記録状態にすることがない。
【００４７】
なお、図３及び図５において、磁気テープ１３上の記録パターンが１フレームで１マスのように描かれているが、実際には適用する記録装置の記録フォーマットにより異なり、例えば、ＶＨＳや８ｍｍＶＴＲの場合には、１フレームが２トラックで記録され、また、Ｄｉｇｉｔａｌ８ＶＴＲの場合には、１フレームが５または６トラックで記録され、さらに、ＤＶフォーマットＶＴＲの場合には、１フレームが１０または１２トラックで記録される。
【００４８】
【発明の効果】
以上詳細に説明したように、本発明に係る記録装置及び方法は、連続的に入力されるデータから所定周期ごとに間欠的に１フレーム分に相当するデータを抽出し、抽出したデータをメモリに間欠的に書き込み、メモリに所定のフレーム数に相当するデータが書き込まれ、メモリからデータを読み出して記録する際に、末端データは所定回数繰り返して読み出して磁気テープに記録するので、末端データを複数回重複して記録することができ、少なくとも一つの末端データ経過後に新たなデータを記録することで、以前に記録した必要なデータを消去せずに、新たなデータを繋ぎ記録することができる。
【図面の簡単な説明】
【図１】本発明に係る記録装置を示すブロック図である。
【図２】本発明に係る記録装置に備えられているメモリ制御回路部の第１の動作を示すフローチャートである。
【図３】図２に示す第１の動作により磁気テープにデータを間欠記録する様子を示す図である。
【図４】本発明に係る記録装置に備えられているメモリ制御回路部の第２の動作を示すフローチャートである。
【図５】図４に示す第２の動作により磁気テープにデータを間欠記録する様子を示す図である。
【符号の説明】
１  記録装置、１０  処理部、１１  メモリ部、１２  記録部、１３  磁気テープ、２０  第１の処理部、２１  第２の処理部、２２  切換部、２３  ＣＣＤ部、２４，２７  ＡＤＣ部、２５  カメラ信号処理部、２６  入力部、２８  ライン入力信号処理部、２９  メモリ、３０  メモリ制御回路部、３１  デジタル記録信号処理部、３２  ヘッド部、３３  メカデッキ部、３４  デジタル記録制御回路部
【図１】
2004343249.tif 000003
【図２】
2004343249.tif 000004
【図３】
2004343249.tif 000005
【図４】
2004343249.tif 000006
【図５】
2004343249.tif 000007